(57)【特許請求の範囲】
【請求項１】
複数列設した各ニードルプレート溝にニードルプレートを挿入し、各ニードルプレート間を針溝として編針を進退自在に配置するニードルベッドを前後一対に先端部を対向させた状態で配設すると共に、前後ニードルベッドの少なくともどちらか一方の上方には、前記ニードルプレートの一部を上方に延長した延長部分に形成する上部ベッド支持部に上部編み部材を進退自在に配置する上部ベッドを支持した横編機において、
前記上部ベッド支持部に透孔を形成し、上部ベッドを支持するためのシャフトを透孔に挿通して前記ニードルベッドと平行に取り付け、該シャフトをシャフト固定部材により上部ベッド支持部に対し回動及び摺動しないように固定し、
前記シャフトに前記上部ベッドを直接あるいは間接的に支持し、前記上部ベッドはシャフトを回動軸として前記ニードルベッドの前後方向に回動可能に支持されると共に、前記上部ベッドはシャフトに摺動変位可能に支持され、前記上部ベッドをニードルベッドの長手方向に移動させる上部ベッド移動手段により移動操作することを特徴とする横編機における上部ベッド支持機構。
【請求項２】
前記ニードルプレートの上面には、前記上部ベッドの下面を支持する上部ベッド支持面を形成し、前記上部ベッドの位置決めが行われることを特徴とする、請求項１に記載の横編機における上部ベッド支持機構。
【請求項３】
前後一対に先端部を対向させた状態で配設する前後ニードルベッドの一方のニードルベッド上方には、前または後のニードルベッドの編針に係止されている編目を受け取り、該編目を前または／及び後のニードルベッドの編針へ移すトランスファージャックを配置したトランスファージャックベッドを長手方向に移動可能に支持すると共に、他方のニードルベッド上方には編成された編地の編目を押さえるループプレッサーを配置したループプレッサーベッドを支持したことを特徴とする、請求項１または２の何れかに記載の横編機における上部ベッド支持機構。
【発明の詳細な説明】
【０００１】
【発明の属する技術分野】
この発明は、ニードルベッドの上方に上部ベッドを配設した横編機に関するものである。
【０００２】
【従来の技術】
複数の針溝を列設し各針溝内に編針を進退自在に配置したニードルベッドの上方に、上部編針またはトランスファージャック，シンカー等の上部編み部材を配置する上部ベッドを設けた横編機は知られている。
【０００３】
出願人は、上下二段に重ねた二段ニードルベッドにおいて、上部ニードルベッドを撓みなく支持できるようにした二段ベッド横編機を提案している。（特開平４−３７０２５２号公報）
これは、下部ニードルベッドにニードルプレート溝を複数列設し、ニードルプレート溝に下部ニードルプレートを挿入して下部ニードルプレート間を針溝としたニードルベッドにおいて、下部ニードルプレートの一部を上方に延長し、延長部分を上部ニードルベッド支持部材とし、上部ニードルベッド支持部材に上部ニードルベッド基板係止用の固定部材を設け、上部ニードルベッド支持部材により上部ニードルベッド基板を下部ニードルベッドに支持した二段ベッド横編機について開示している。
【０００４】
また出願人は、下部ニードルベッドの上方にトランスファージャックベッドや上部ニードルベッド等を配設した横編機において、ニードルベッドの上方に配設されるニードルベッドまたはトランスファージャックベッドを撓むことなく確りと支持できながらも、下部ニードルベッドの編針の交換を簡単に短時間で行える横編機を提案している。（日本特許登録第２６２８１２８号）
これは、ニードルベッド上面にニードルプレート溝を複数列設し、ニードルプレート溝にそれぞれニードルプレートを挿入し、ニードルプレート間を針溝として形成し、針溝を形成する所定のニードルプレートの一部分を上方に延長し、上部ニードルベッドまたはトランスファージャックベッドの支持部材とすると共に
、支持部材において上部ニードルベッドまたはトランスファージャックベッドが下部ニードルベッドに対し、その長手方向に摺動変位可能に構成している。
上部ニードルベッドの支持部材と、上部ニードルベッドまたはトランスファージャックベッドとの何れか一方にあり状突起を形成し、他方にはあり状突起に嵌合するあり状溝を形成し、上部ニードルベッドまたはトランスファージャックベッドを着脱する場合には、あり状突起を、あり状溝に形成された着脱用空間部分に合致させた状態で上部ニードルベッドまたはトランスファージャックベッドを上方に引き上げると、上部ニードルベッドまたはトランスファージャックベッドは支持部材から離脱させることができる構成となっている。
【０００５】
【発明が解決しようとする課題】
しかしながら上記した横編機は、上部ベッドの支持機構の構造が複雑であり、上部ベッドの着脱作業も容易ではない。したがって、横編機の組立作業やニードルベッドの清掃等のメンテナンス，あるいは編針の交換作業に時間を要する。
【０００６】
上記した問題に鑑み、本発明は、編成の容易性及び多様性を図るとともに、上部編み部材を配置した上部ベッドをニードルベッドの上方へ支持する支持機構の構造を複雑化することなく、上部ベッドをニードルベッドの上方に正確な位置を保って、且つ容易に支持することが可能な横編機を提供することを目的とする。
【０００７】
また、ニードルベッドの掃除等のメンテナンス作業、あるいはニードルベッドの針交換を容易に行うことができるニードルベッド上方に上部ベッドを支持した横編機を提供することを目的とする。
【０００８】
【課題を解決するための手段】
上記の問題点を解決するために、本発明は、複数列設した各ニードルプレート溝にニードルプレートを挿入し、各ニードルプレート間を針溝として編針を進退自在に配置するニードルベッドを前後一対に先端部を対向させた状態で配設すると共に、前後ニードルベッドの少なくともどちらか一方の上方には、前記ニードルプレートの一部を上方に延長した延長部分に形成する上部ベッド支持部に上部編み部材を進退自在に配置する上部ベッドを支持した横編機において、前記上部ベッド支持部に透孔を形成し、上部ベッドを支持するためのシャフトを透孔に挿通して前記ニードルベッドと平行に取り付け、該シャフトをシャフト固定部材により上部ベッド支持部に対し回動及び摺動しないように固定し、前記シャフトに前記上部ベッドを直接あるいは間接的に支持し、前記上部ベッドはシャフトを回動軸として前記ニードルベッドの前後方向に回動可能に支持されると共に、前記上部ベッドはシャフトに摺動変位可能に支持され、前記上部ベッドをニードルベッドの長手方向に移動させる上部ベッド移動手段により移動操作することを特徴とする。
【０００９】
また好ましくは、前記ニードルプレートの上面には、前記上部ベッドの下面を支持する上部ベッド支持面を形成し、前記上部ベッドの位置決めが行われる。
【００１０】
また好ましくは、前後一対に先端部を対向させた状態で配設する前後ニードルベッドの一方のニードルベッド上方には、前または後のニードルベッドの編針に係止されている編目を受け取り、該編目を前または／及び後のニードルベッドの編針へ移すトランスファージャックを配置したトランスファージャックベッドを長手方向に移動可能に支持すると共に、他方のニードルベッド上方には編成された編地の編目を押さえるループプレッサーを配置したループプレッサーベッドを支持する。
【００１１】
【発明の実施の形態】
本発明の実施の形態を、図面を参照して説明する。図１は本発明の上部ベッド支持機構を設けた横編機の概略的な正面図であり、図２は、図１の横編機におけるＸ−Ｘ線方向から見た横編機の縦断面図を示す。図３は、横編機の概略的な側面図である。
本実施例における横編機１は、前後一対のニードルベッド２Ａ，２Ｂを先端部を対向させた状態で逆Ｖ字状に配設し、前後のニードルベッド２Ａ，２Ｂはモータ，駆動用スクリュー軸，スライダー等からなる駆動手段（不図示）により、それぞれニードルベッド長手方向に移動可能に構成されている。前ニードルベッド２Ａの上方にはトランスファージャック４を配設するトランスファージャックベッド６を配置すると共に、後ニードルベッド２Ｂの上方にはループプレッサー８を配設するループプレッサーベッド１０を配置する。
なお、横編機１の各部を説明するに当たり、ニードルベッド２の針の進退方向の歯口部側を前方、他方は後方とし、またニードルベッド表面に直交する方向を上下方向として以下説明を行う。
【００１２】
ニードルベッド２には、複数のニードルプレート溝１２を等間隔で平行に切削し、各ニードルプレート溝１２にニードルプレート１４を挿入し、このニードルプレート下縁に設けた凹欠部１６とニードルベッド２の上面に設けた凹欠部１８とを合わせて凹欠部内にワイヤ２０を通し、ニードルベッド２の後端部をかしめることにより両者を一体に固定する。これにより隣接する２つのニードルプレート１４間に針溝２２を構成し、針溝内に針本体２４及びスライダー２６を進退操作可能に挿入する。以下、針本体２４及びスライダー２６等を合わせて編針２８と呼ぶ。編針２８の上面には繰針用のバット３０ａ，３０ｂが形成され、バット３０ａ，３０ｂは針溝外に突出するように付勢されている。本実施例では針溝２２に針本体２４とスライダー２６とからなる複合針を挿入するが、これはラッチタイプの編針であっても構わない。針溝２２に収納した編針２８の上方を全ニードルプレート１４に亘って蟻溝３２を形成し、この蟻溝３２に断面台形の針押さえ３４を蟻嵌合させることにより、編針２８が針溝２２から脱落することを防止している。
ニードルベッド２の上面をキャリッジ３６が不図示のベルト駆動手段により往復走行され、キャリッジ３６に設けた編成カム３８により編針２８の進退操作が行われるほか、進退動カム４０によりトランスファージャック４及びループプレッサー８の進退操作も行われる。
【００１３】
前ニードルベッド２Ａに切削された複数のニードルプレート溝１２Ａの中で所定のニードルプレート溝には、図４に示したニードルプレート１４Ａを挿入する。ニードルプレート１４Ａはその頭部を上方に延長し、延長部分を上部ベッド支持部４２とする。上部ベッド支持部４２には円形の透孔４４が穿設され、透孔４４にはトランスファージャックベッド６を支持させるための断面形状が円形のシャフト４６Ａをニードルベッド長手方向に亘って挿通させる。他のニードルプレート溝１２Ｂには、頭部を上方に延長した延長部分を有しないニードルプレート１４Ｂを挿入し、延長部分を有するニードルプレート１４Ａと延長部分を有しないニードルプレート１４Ｂとは、ニードルベッド２Ａのニードルプレート溝１２Ａにそれぞれ１枚あるいは複数枚ずつ交互に挿入する。またニードルプレート１４Ａ，１４Ｂの先端部の上面には、トランスファージャックベッド６を支持するための上部ベッド支持面４８を形成する。
【００１４】
次ぎに、ニードルベッド２Ａ上方へのトランスファージャックベッド６の支持について説明を行う。図５は、トランスファージャックベッド６をシャフト４６Ａに支持する支持ブロック５０の側面図を示すものであり、図６はシャフト４６Ａをニードルプレート１４Ａに固定させるためのシャフト固定部材５２の側面図を示したものである。
支持ブロック５０には、その上面にトランスファージャックベッド６の取付面５１を形成すると共に、トランスファージャックベッド６を摺動可能に支持するシャフト４６Ａを挿通させる透孔５４が穿設される。支持ブロック５０はトランスファージャックベッド６の下面に長手方向に亘って複数の所定箇所にボルト５６により取り付ける。
【００１５】
シャフト固定部材５２は、ニードルプレート１４Ａの上部ベッド支持部４２に挿通されたシャフト４６Ａが回動あるいは左右に移動しないように固定するためのものであり、支持ブロック５０と同様にシャフト４６Ａを挿通させるための透孔５８を穿設する。シャフト固定部材５２の後端部には、ニードルベッド長手方向に左右に突出する突出片６０を形成し、シャフト４６Ａをニードルプレート１４Ａに固定する際に、左右の突出片６０をシャフト４６Ａを固定させるニードルプレート１４Ａの上部ベッド支持部後端６２に当接させた状態で透孔５８にシャフト４６Ａを挿通し、ネジ６４によりシャフト４６Ａを締め付ける。シャフト４６Ａと固定されたシャフト固定部材５２は、シャフト固定部材５２に形成した突出片６０がニードルプレート１４Ａの上部ベッド支持部材後端６２と当接するためシャフト４６Ａの回動を防ぎ、またシャフト固定部材５２をニードルプレート１４Ａの上部ベッド支持部４２間にはめ込むことにより、シャフト４６Ａの横方向への移動を防止することができる。これによりニードルプレート１４Ａの上部ベッド支持部４２に挿通したシャフト４６Ａを固定させることができる。シャフト固定部材５２をシャフト４６Ａの所定箇所に複数取り付けることにより、確実にシャフト４６Ａを固定させることができる。
【００１６】
トランスファージャックベッド６をニードルベッド２Ａ上方に支持させるには、先ずトランスファージャックベッド６の下面に、長手方向に渡り複数の所定箇所に支持ブロック５０をボルト５６により取り付ける。支持ブロック５０を取り付ける箇所は、トランスファージャックベッド６をニードルプレート１４Ａ，１４Ｂに形成した上部ベッド支持面４８上に載置した時に、支持ブロック５０がニードルプレート１４Ａの上部ベッド支持部４２と接触しないように、上部ベッド支持部４２を有しないニードルプレート１４Ｂの位置とする。本実施例においては、後に説明するようにトランスファージャックベッド６を駆動手段６６により横方向に移動操作するため、その移動量も考慮し支持ブロック５０の取り付け位置を決定する。
【００１７】
支持ブロック５０を所定箇所に取り付けたトランスファージャックベッド６を、ニードルプレート１４Ａ，１４Ｂの上部ベッド支持面４８上に載置する。そしてシャフト固定部材５２を、頭部を上方に延長した延長部分を有する２枚のニードルプレート１４Ａの上部ベッド支持部４２間に、シャフト固定部材５２の後端部に形成したニードルベッド長手方向に左右に突出する突出片６０が、ニードルプレート１４Ａの上部ベッド支持部４０の後端６２に当接するようにシャフト固定部材５２をはめ込む。そしてニードルベッド２Ａの端部よりシャフト４６Ａをニードルプレート１４Ａとシャフト固定部材５２そして支持ブロック５０のそれぞれに穿設した透孔４４，５８，５４に挿通させる。ニードルベッド２Ａの長手方向に亘って設ける全てのニードルプレート１４Ａとシャフト固定部材５２そして支持ブロック５０の透孔４４，５８，５４にシャフト４６Ａを挿通した後、シャフト固定部材５２にネジ６４でシャフト４６Ａを締め付けることによりシャフト４６Ａは固定される。
【００１８】
このように、トランスファージャックベッド６をシャフト４６Ａによりニードルプレート１４Ａに支持すると共に、トランスファージャックベッド６はニードルプレート１４Ａ，１４Ｂの上部ベッド支持面４８上で位置決めされるため、上部ベッドであるトランスファージャックベッド６をニードルベッド２Ａ上方に複雑な機構を必要とせず、容易に取り付けることができる。
【００１９】
トランスファージャックベッド６の上面には、ジャック溝７０が設けられ、このジャック溝７０にトランスファージャック４を進退操作可能に挿入する。符号７２ａ，７２ｂは、トランスファージャック４がジャック溝から脱落するのを防ぐ帯金を示す。トランスファージャック４の先端部には、目移しを行う際に編目を係止するフック状の編目係止部７４を形成し、他方に被選択部としての基端部７６を有し、この基端部７６の下縁には被吸着面７８を形成する。編目係止部７４の後方側でシャンク８０から分岐しその下方で後方に延びる弾性アーム８２を設け、トランスファージャック４に突設した制御バット８４を上方へ付勢する。基端部７６の上縁には突出部８６を形成し、ガイドカム（不図示）により押圧することでキャリッジ３６Ａに設けた選択アクチュエータ８８Ａの吸着面９０Ａに被吸着面７８を当接させる。選択アクチュエータ８８Ａの吸着面９０Ａに吸着したトランスファージャック４は、選択アクチュエータ８８Ａにおいてトランスファージャック４を進退動させるか否かが選択される。選択されたトランスファージャック４は選択アクチュエータ８８Ａの吸着面９０Ａとの吸着が解かれ、制御バット８４はトランスファージャックベッド６の表面から突出し、キャリッジ３６Ａに設けた進退動カム４０Ａにより進出される。
【００２０】
トランスファージャックベッド６の端部は移動操作用ブラケット９２とボルト９４により連結され、移動操作用ブラケット９２はモータ９６，ベルト９８，駆動用スクリュー軸１００，スライダー１０２等からなる駆動手段６６により横方向に移動操作されるようになっている。この駆動手段６６によるトランスファージャックベッド６の移動で、トランスファージャックベッド６にボルト５６により取り付ける支持ブロック５０はシャフト４６Ａ上を摺動移動し、トランスファージャックベッド６の下面はニードルプレート１４Ａ，１４Ｂの上部ベッド支持面４８上を摺動移動する。
【００２１】
本実施例においては、シャフト４６Ａの断面形状は円形であり、ニードルプレート１４Ａ及び支持ブロック５０等に穿設する透孔４４，５４も円形とするため、トランスファージャックベッド６はシャフト４６Ａを回動軸として、トランスファージャックベッド６の先端部をニードルベッド２Ａの前後方向へ回動可能となる。通常、トランスファージャックベッド６はその端部を移動操作用ブラケット９２にボルト９４により連結しているため、トランスファージャックベッド６は回動しないように固定されているが、トランスファージャックベッド６と移動操作用ブラケット９２との連結をボルト９４を外して解くことにより、トランスファージャックベッド６の先端部をシャフト４６Ａを回動軸として前後方向へ回動させることが可能となる。図７は、トランスファージャックベッド６を回動させていない状態を示し、図８はトランスファジャックベッド６をシャフト４６Ａを回動軸として後方に回動させた状態を示したものである。
トランスファージャックベッド６の先端部を後方に回動させることにより、ニードルベッド２Ａの掃除等のメンテナンスを容易に行うことができる他、ニードルベッド２Ａの針溝２２に収容する編針２８の交換作業も容易に短時間で行うことができる。なお、シャフト４６Ａの断面形状は円形に限らず多角形であっても良い。
【００２２】
後ニードルベッド２Ｂの上方には、編成された編地の編目ループを押さえるループプレッサー８を配設するループプレッサーベッド１０が支持される。このループプレッサーベッド１０の支持については先に説明を行った前ニードルベッド２Ａ上方へのトランスファージャックベッド６の支持と同様であるため、ここでの説明は省略する。
【００２３】
ループプレッサーベッド１０には、ニードルベッド２Ｂ上に列設された各編針２８間にループプレッサー８が位置するように多数のループプレッサー溝１０４を針溝２２と同ピッチで設け、各ループプレッサー溝１０４にループプレッサー８を進退操作可能に挿入する。符号１０６ａ，１０６ｂはループプレッサー８がループプレッサー溝１０４から脱落するのを防ぐ帯金である。ループプレッサー８は、先端部にループ押さえ部１０５を形成し、他方に被選択部としての基端部１０８を有し、この基端部１０８の下端に被吸着面１１０を形成する。ループ押さえ部１０５の後方側でシャンク１１０から分岐しその下方で後方に延びる弾性アーム１１２を設け、ループプレッサー８に突設した制御バット１１４を上方へ付勢する。ループプレッサー８が進出位置にあるときシャンク上縁に形成した位置制御面１１６が帯金１０６ａと向かい合い、ループ押さえ部１０５は下方に揺動する。
【００２４】
基端部１０８の上縁には突出部１１８を形成し、ガイドカム（不図示）により押圧することでキャリッジ３６Ｂに設けた選択アクチュエータ８８Ｂの吸着面９０Ｂに被吸着面１１０を当接させる。
選択アクチュエータ８８Ｂの吸着面９０Ｂに吸着したループプレッサー８は、選択アクチュエータ８８Ｂにおいてループプレッサー８を進出させるか否かが選択される。選択されたループプレッサー８は選択アクチュエータ８８Ｂの吸着面９０Ｂとの吸着が解かれ、制御バット１１４はループプレッサーベッド１０の表面から突出し、キャリッジ３６Ｂに設けた進退動カム４０Ｂにより進出される。
【００２５】
後ニードルベッド２Ｂの上方に支持するループプレッサーベッド１０も、前ニードルベッド２Ａ上方に支持するトランスファージャックベッド６と同様に、シャフト４６Ｂを回動軸としてループプレッサーベッド１０の先端部をニードルベッド２Ｂの前後方向に回動可能となっている。
トランスファージャックベッド６の場合は、横方向へ移動させるため、トランスファージャックベッド６の端部を移動操作用ブラケット９２にボルト９４で連結するが、ループプレッサーベッド１０は横方向へ移動操作させないのでループプレッサーベッド１０の端部は固定ブラケット１２０によりニードルベッド２Ｂ端部にボルト１２２により連結させている。そしてニードルベッド２Ｂの掃除等のメンテナンス、あるいはニードルベッド２Ｂの針溝２２に収容する編針２８の交換作業を行う時は、ボルト１２２を外してニードルベッド２Ｂとの連結を解除することにより、ループプレッサーベッド１０をシャフト４６Ｂを回動軸としてニードルベッド２Ｂの前後方向へ回動させることができる。
【００２６】
なお、上記の実施例ではトランスファージャックベッドを横方向に移動操作するために、トランスファージャックベッドの一端をボルトにより移動操作用ブラケットに連結するようにしているが、トランスファージャックベッドとシャフトとを固着させ、シャフトと移動操作用ブラケットとを連結し、シャフトを横方向へ移動させることによりトランスファージャックベッドを移動操作するようにしても構わない。
【００２７】
また、上記の実施例ではシャフトの断面形状を円形としニードルプレート及び支持ブロックに穿設する透孔も円形とするため、上部ベッドであるトランスファージャックベッドおよびループプレッサーベッドをニードルベッド前後方向に回動可能としているが、上部ベッドを回動させる必要がない場合はシャフトの断面形状，そしてニードルプレート及び支持ブロックに穿設する透孔を例えば四角形などの多角形として上部ベッドを支持させても良い。
【００２８】
なお、本発明についての好適な実施の形態を上記に示したが、本発明は上記の実施の形態に限定されるものではなく、本発明の主旨に逸脱しない範囲において実施できることはいうまでもない。
【００２９】
【発明の効果】
本発明は以上説明したように、上部ベッドをニードルベッド上方に支持する上部ベッド支持機構を複雑化することなく、上部ベッドをニードルベッド上方に容易に支持することができる。また上部ベッドをシャフトを回動軸としてニードルベッドの前後方向に回動させることで、ニードルベッドのメンテナンスあるいは編針の交換等を容易に行うことができる。さらに上部ベッドは、シャフトに摺動変位可能に支持されるため、上部ベッドをニードルベッドの上方に横方向に移動操作可能に支持することができる。
【００３０】
またニードルプレートの上面には、上部ベッドの下面を支持する上部ベッド支持面を形成して上部ベッドの位置決めが行われるため、上部ベッドをニードルベッドの上方に正確な位置を保って支持することができる。
【００３１】
また前後ニードルベッドの一方のニードルベッド上方にはトランスファージャックを配置したトランスファージャックベッドを支持し、他方のニードルベッド上方にはループプレッサーを配置したループプレッサーベッドを支持するため、編成の容易性及び多様性を図ることができる。
【図面の簡単な説明】
【図１】本発明の上部ベッド支持機構を設けた横編機の概略的な正面図である。
【図２】図１の横編機におけるＸ−Ｘ線方向から見た横編機の縦断面図である。
【図３】図１の横編機の概略的な側面図である。
【図４】頭部を上方に延長した延長部分を有するニードルプレートの側面図である。
【図５】支持ブロックの側面図である。
【図６】シャフト固定部材の側面図である。
【図７】トランスファージャックベッドを回動させていない状態を示した図である。
【図８】トランスファージャックベッドを回動させた状態を示した図である。
【符号の説明】
１・・・横編機、２・・・ニードルベッド、４・・・トランスファージャック、６・・・トランスファージャックベッド、８・・・ループプレッサー、１０・・・ループプレッサーベッド、１２・・・ニードルプレート溝、１４・・・ニードルプレート、２８・・・編針、３４・・・針押さえ、３６・・・キャリッジ、４２・・・上部ベッド支持部材、４４・・・透孔、４６・・・シャフト、５０・・・支持ブロック、５２・・・シャフト固定部材、５４・・・透孔、５６・・・ボルト、５８・・・透孔、６０・・・突出片、６４・・・ネジ、６６・・・駆動手段、８８・・・選択用アクチュエータ、９２・・・移動作業用ブラケット、９４・・・ボルト、９６・・・モータ、９８・・・ベルト、１００・・・駆動用スクリュー軸、１２０・・・固定ブラケット、１２２・・・ボルト
【図１】
0003542256.tif 000002
【図２】
0003542256.tif 000003
【図３】
0003542256.tif 000004
【図４】
0003542256.tif 000005
【図５】
0003542256.tif 000006
【図６】
0003542256.tif 000007
【図７】
0003542256.tif 000008
【図８】
0003542256.tif 000009